(57)【要約】【課題】  槽本体に被処理水の消毒処理を行う消毒槽を収容する水処理装置において、槽本体に対し消毒槽を取付ける取付作業の合理化を図るのに有効な技術を提供する。【解決手段】  本発明に係る水処理装置１００は、接続部材１３０による消毒槽１０９と放流管１０４との接続の前に、消毒槽１０９の上縁部１０９ａの上縁面及びフランジ面が、処理水槽１０８の立設壁１０８ａ及び延在片１０８ｂとの接触によって処理水槽１０８に係止され、当該消毒槽１０９の上下方向の動作が規制される構成とされる。【選択図】      図２
2008043896.tif 000002
【特許請求の範囲】
【請求項１】
槽本体と、
前記槽本体に収容され、被処理水に対する所定の水処理を行う水処理機構と、
前記浄化処理機構のうち、槽本体内の水貯留領域に浸漬された状態で被処理水の消毒処理を行う消毒槽と、
前記消毒槽にて消毒処理された後の水を槽本体外へと放流する放流管と、
前記槽本体を貫通する貫通開口を通じて前記消毒槽と前記放流管とを接続する接続部材と、
前記消毒槽において水平面に沿って長手状に延在する消毒槽側延在部と、
前記槽本体側に設けられ、前記消毒槽側延在部の下方にて当該消毒槽側延在部に沿って長手状に延在する第１の槽本体側延在部と、
前記槽本体側に設けられ、前記消毒槽側延在部の上方にて当該消毒槽側延在部に沿って長手状に延在する第２の槽本体側延在部と、
を備え、
前記接続部材による前記消毒槽と前記放流管との接続の前に、前記消毒槽が前記第１の槽本体側延在部及び第２の槽本体側延在部に沿って所定の取付位置へとスライドされることで、前記消毒槽の下降動作に関しては、当該消毒槽の前記消毒槽側延在部が前記第１の槽本体側延在部により係止される一方、前記消毒槽が前記水貯留領域に浸漬されたときの浮力による上昇動作に関しては、当該消毒槽の前記消毒槽側延在部が前記第２の槽本体側延在部により係止される取付状態が形成されることを特徴とする水処理装置。
【請求項２】
請求項１に記載の水処理装置であって、
前記第１の槽本体側延在部と前記第２の槽本体側延在部との間に形成され、前記消毒槽側延在部が挿入される被挿入空間を備え、
前記接続部材による前記消毒槽と前記放流管との接続の前に、前記被挿入空間に前記消毒槽側延在部が挿入された状態で、前記消毒槽が前記第１の槽本体側延在部及び第２の槽本体側延在部に沿って前記所定の取付位置へとスライドされる構成であることを特徴とする水処理装置。
【請求項３】
請求項２に記載の水処理装置であって、
前記消毒槽側延在部は、前記消毒槽の槽壁面から外方へと突出する突出片として構成され、
前記第１の槽本体側延在部は、前記突出片を介して前記消毒槽が架設される架設面を有するとともに、この架設面上における前記突出片の摺動によって架設状態の前記消毒槽を前記所定の取付位置へとスライド可能とする構成であり、
前記第２の槽本体側延在部は、前記架設面の上方にてこの架設面に沿って延在する延在面を有するとともに、前記突出片を前記架設面上において摺動させ前記消毒槽を架設状態のまま前記所定の取付位置へとスライドさせたときに、前記架設面と前記延在面との間の前記被挿入空間に前記突出片が挿入される構成であることを特徴とする水処理装置。
【請求項４】
請求項３に記載の水処理装置であって、
前記槽本体は、いずれも椀状の上部槽及び下部槽の接合フランジ面同士を接合することによって形成されるとともに、前記上部槽の側壁面に前記貫通開口が形成され、また下部槽側に前記架設面が設けられた構成であり、
前記消毒槽は、前記下部槽の上部に前記上部槽が配設される前に、前記突出片を介して前記架設面に架設可能とされるとともに、前記下部槽の上部に前記上部槽が設置された後に、前記貫通開口から槽本体内へと挿入された作業者の手によって架設状態のまま前記所定の取付位置へとスライド操作が可能とされる構成であることを特徴とする水処理装置。
【発明の詳細な説明】
【技術分野】
【０００１】
本発明は、槽本体に被処理水に対する所定の水処理を行う水処理機構を収容する水処理装置に係り、詳しくは被処理水の消毒処理を行う消毒槽を槽本体に取付ける技術に関するものである。
【背景技術】
【０００２】
従来、槽本体内に消毒槽を収容する浄化槽においては、消毒槽の落下防止及び浮上防止を図るべく、槽本体に対し消毒槽を取付ける構造が種々提案されている。例えば、下記特許文献１には、槽本体の上槽に設けた突出片と消毒槽に設けた突出片とをリベット結合によって固定する構造が開示されている。
【特許文献１】特開２０００−５８４号公報
【発明の開示】
【発明が解決しようとする課題】
【０００３】
しかしながら、上記特許文献１に記載のように、槽本体に対し消毒槽を取付ける構造としてリベット結合やボルト結合を用いると、コストがかかるうえに組み付け工数が増えることとなる。また、この種の浄化槽にあっては、消毒槽の周辺に種々の配管部材が密集して配置される構成が一般的であり、このような箇所においてリベット結合やボルト結合を行う場合には作業性が悪いという問題を抱えている。
そこで、本発明はこのような点に鑑みてなされたものであり、槽本体に被処理水の消毒処理を行う消毒槽を収容する水処理装置において、槽本体に対し消毒槽を取付ける取付作業の合理化を図るのに有効な技術を提供することを課題とする。
【課題を解決するための手段】
【０００４】
前記課題を解決するために、本発明が構成される。なお、本発明は、一般家庭等から排出される生活排水をはじめ、各種の被処理水の処理を行う水処理機構を槽本体に収容する水処理装置に適用され得る技術である。
【０００５】
本発明に係る水処理装置は、槽本体、水処理機構、消毒槽、放流管、接続部材、消毒槽側延在部、第１の槽本体側延在部及び第２の槽本体側延在部を少なくとも備える。
本発明の水処理機構は、槽本体に収容され、被処理水に対する所定の水処理を行う水処理機構として構成される。本発明の水処理装置は、槽本体に水処理機構が収容された後の装置、或いは処理機構が収容される前の槽本体自体として規定される。また、ここでいう「水処理機構」は、各種の被処理水に対し所定の水処理を行うための機構であり、典型的に夾雑物の除去処理を行う部位、被処理水中の有機汚濁物質を嫌気濾床により嫌気処理（還元）する部位、接触濾床により被処理水の好気処理及び濾過処理を行う部位、被処理水中の一時的な貯留や消毒処理を行う部位等を適宜組み合わせることによって構成される。
【０００６】
本発明の消毒槽は、槽本体内の水貯留領域に浸漬された状態で被処理水の消毒処理を行う機能を有する。この消毒槽は、水貯留領域に浸漬された通常運転時においては上向きの浮力を受けることとなる。本発明の放流管は、消毒槽にて消毒処理された後の水を槽本体外へと放流する機能を有する。本発明の接続部材は、槽本体を貫通する貫通開口を通じて消毒槽と放流管とを接続する機能を有する。この接続部材は、典型的にはネジ付きソケットを用いて構成される。本発明の消毒槽側延在部は、消毒槽において水平面に沿って長手状に延在する部位として構成される。この消毒槽側延在部は、消毒槽自体に設けられてもよいし、或いは消毒槽に取付けられた別部材に設けられてもよい。また、この消毒槽側延在部は、水平面に沿って長手状に延在する成分を有していればよく、当該消毒槽側延在部が全体にわたって面一に形成された構成であってもよいし、或いは当該消毒槽側延在部の一部に段差形状や曲面形状が形成され、水平面に沿って長手状に延在する部位同士がこれらの段差形状や曲面形状を経て互いに連接した構成であってもよい。本発明の第１の槽本体側延在部は、槽本体側に設けられ、消毒槽側延在部の下方にて当該消毒槽側延在部に沿って長手状に延在する部位として構成される。本発明の第２の槽本体側延在部は、槽本体側に設けられ、消毒槽側延在部の上方にて当該消毒槽側延在部に沿って長手状に延在する部位として構成される。なお、第１の槽本体側延在部及び第２の槽本体側延在部は、槽本体自体に設けられてもよいし、或いは槽本体に取付けられた別部材に設けられてもよい。
【０００７】
特に、本発明では、接続部材による消毒槽と放流管との接続の前に、消毒槽が第１の槽本体側延在部及び第２の槽本体側延在部に沿って所定の取付位置へとスライドされることで、消毒槽の下降動作に関しては、当該消毒槽の消毒槽側延在部が第１の槽本体側延在部により係止される一方、消毒槽が水貯留領域に浸漬されたときの浮力による上昇動作に関しては、当該消毒槽の消毒槽側延在部が第２の槽本体側延在部により係止される取付状態が形成される。すなわち、本発明では、消毒槽は、その上下方向の動作が消毒槽側延在部と第１の槽本体側延在部及び第２の槽本体側延在部との間の接触によって規制される。従って、消毒槽全体の自重によって当該消毒槽が落下するのが防止され、また水貯留領域に浸漬された消毒槽に作用する浮力によって当該消毒槽が浮上するのが阻止される。なお、消毒槽の前述の取付状態では、当該消毒槽の上下方向の動作が第１の槽本体側延在部及び第２の槽本体側延在部によって完全に阻止された構成であってもよいし、或いは当該消毒槽の上下方向の動作がある程度許容された構成であってもよい。その後、最終的には、消毒槽は接続部材を用いて槽本体に対して固定されることとなる。
【０００８】
このような構成によれば、接続部材による消毒槽と放流管との接続の前に、リベットやネジ等の固定具を用いることなく、第１の槽本体側延在部及び第２の槽本体側延在部による係止構造のみによって消毒槽を槽本体側に取付けることができるため、消毒槽の取付作業の合理化が図られる。具体的には、部品点数削減により製造上のコストを抑えることができ、また取り付け工数を抑えることができる。また、リベットやネジ等の固定具を用いる必要がないため、消毒槽の取付作業性が向上するという作用効果を奏する。消毒槽の周辺には種々の配管部材が密集して配置されるのが一般的であるため、このような場合に本構成が特に効果的とされる。なお、この作用効果は、消毒槽の修理の際の取り外しや、修理後の再装着を行う場合においても同様に得られることとなる。
【０００９】
また、本発明に係る更なる形態の水処理装置は、更に被挿入空間を備える。この被挿入空間は、第１の槽本体側延在部と第２の槽本体側延在部との間に形成され、消毒槽側延在部が挿入される空間領域として構成される。本構成においては、接続部材による消毒槽と放流管との接続の前に、被挿入空間に消毒槽側延在部が挿入された状態で、消毒槽が第１の槽本体側延在部及び第２の槽本体側延在部に沿って所定の取付位置へとスライドされる。
このような構成によれば、消毒槽の消毒槽側延在部が被挿入空間に挿入された状態で、当該消毒槽側延在部が上下方向動作に関し第１の槽本体側延在部及び第２の槽本体側延在部によって係止され、これによって消毒槽の上下方向の動作が規制される取付構造が提供されることとなる。
【００１０】
また、本発明に係る更なる形態の水処理装置では、消毒槽側延在部は、消毒槽の槽壁面から外方へと突出する突出片として構成される。また、第１の槽本体側延在部は、突出片を介して消毒槽が架設される架設面を有するとともに、この架設面上における突出片の摺動によって架設状態の消毒槽を所定の取付位置へとスライド可能とする構成とされる。また、第２の槽本体側延在部は、架設面の上方にてこの架設面に沿って延在する延在面を有するとともに、突出片を架設面上において摺動させ消毒槽を架設状態のまま所定の取付位置へとスライドさせたときに、架設面と延在面との間の被挿入空間に突出片が挿入される構成とされる。
このような構成によれば、消毒槽が一旦架設状態とされた後は、突出片を架設面上において摺動させることで消毒槽を所定の取付位置に設定することが可能であるため、消毒槽のスライド操作時に当該消毒槽を別の手段によって保持する必要がなく、従って消毒槽の取付作業に関する作業性を向上させるのに効果的である。
【００１１】
また、本発明に係る更なる形態の水処理装置では、槽本体は、いずれも椀状の上部槽及び下部槽の接合フランジ面同士を接合することによって形成されるとともに、上部槽の側壁面に貫通開口が形成され、また下部槽側に架設面が設けられた構成とされる。また、消毒槽は、下部槽の上部に上部槽が配設される前に、突出片を介して架設面に架設可能とされるとともに、下部槽の上部に上部槽が設置された後に、貫通開口から槽本体内へと挿入された作業者の手によって架設状態のまま所定の取付位置へとスライド操作が可能とされる。
このような構成によれば、上部槽のスライド操作、及び接続部材による消毒槽と放流管との接続操作は、いずれも上部槽の側方の貫通開口周辺にて行うことが可能であるため、高所作業等が必要なく作業性が良い。
【発明の効果】
【００１２】
以上のように、本発明によれば、槽本体に被処理水の消毒処理を行う消毒槽を収容する水処理装置において、特に消毒槽が第１の槽本体側延在部及び第２の槽本体側延在部によって槽本体側に係止され、当該消毒槽の上下方向の動作が規制される係止取付構造を採用することによって、槽本体に対し消毒槽を取付ける取付作業の合理化を図ることが可能となった。
【発明を実施するための最良の形態】
【００１３】
以下に、本発明における一実施の形態の汚水処理装置の構成等を図面に基づいて説明する。なお、本実施の形態は、一般家庭等から排出された生活排水（汚水）の処理を行う装置について説明するものである。
【００１４】
本発明における「水処理装置」の一実施の形態である水処理装置１００の処理フローが図１に示される。この図１に示すように、本実施の形態の水処理装置１００は、槽状に成形された槽本体１０１の内部に所定の浄化処理機構１０２を収容している。この浄化処理機構１０２は、夾雑物除去槽１０５、嫌気濾床槽１０６、接触濾床槽１０７、処理水槽１０８、消毒槽１０９に大別される。夾雑物除去槽１０５は、被処理水中に含まれる夾雑物を、流入バッフル（図示省略）などの固液分離手段を用いて被処理水から分離する処理を行う槽であり、被処理水の固液分離機能を果たす。嫌気濾床槽１０６は、被処理水中の有機汚濁物質を嫌気処理（還元）する機能を果たす。接触濾床槽１０７は、被処理水の好気処理及び濾過処理を行う機能を果たす。処理水槽１０８は、消毒槽１０９へ移流する前の水を一時的に貯留する機能を果たす。消毒槽１０９は、処理水槽１０８から流入した水の消毒処理を行う機能を果たす。この消毒槽１０９が、本発明における「消毒槽」に相当し、この消毒槽１０９を含む浄化処理機構１０２によって、本発明における「被処理水に対する所定の水処理を行う水処理機構」が構成される。
【００１５】
槽本体１０１の内部に流入した汚水は、浄化処理機構１０２において上流（図１中の左側）から夾雑物除去槽１０５、嫌気濾床槽１０６、接触濾床槽１０７、処理水槽１０８、消毒槽１０９にて順次処理されたのち、槽本体１０１の外部へ放流される。なお、本実施の形態の水処理装置１００は、生活排水（汚水）を浄化処理して放流する装置であり、「浄化槽」或いは「排水処理槽」とも称呼される。また、本実施の形態では、水処理装置１００を構成する各槽において流れる水を「汚水」、「被処理水」ないし「水」と記載する。
【００１６】
槽本体１０１は、上部槽（「上槽」ともいう）１１０及び下部槽（「下槽」ともいう）１２０を備える。この槽本体１０１が、本発明における「槽本体」に相当する。上部槽１１０は、平面視が略長方形となる椀状の槽であり、下部槽１２０の上部に配置される槽である。一方、下部槽１２０は、平面視が略長方形となる椀状の槽であり、上部槽１１０の下部に配置される槽である。ここでいう上部槽１１０が、本発明における「上部槽」に相当し、下部槽１２０が、本発明における「下部槽」に相当する。上部槽１１０の接合フランジ１１０ａの接合フランジ面と、下部槽１２０の接合フランジ１２０ａの接合フランジ面とを互いに重ね合わせた状態で接合することによって、フランジ接合式の槽本体１０１が形成される。
【００１７】
上部槽１１０は、流入管１０３、放流管１０４、突出部１１１，１１２，１１３を少なくとも備える。流入管１０３は、汚水が槽本体１０１内へと流入する配管部分として構成される。放流管１０４は、浄化処理機構１０２において浄化処理された処理後の水、詳しくは消毒槽１０９にて消毒処理がなされた後の水を槽本体１０１外へと放流する配管部分として構成される。この放流管１０４が、本発明における「放流管」に相当する。突出部１１１，１１２，１１３は、いずれも上部槽１１０の上面から上方に突出する円筒状の部位とされ、上部槽１１０が長手状に延在する延在線上に各突出部が配置されている。各突出部にはマンホール開口が形成されており、このマンホール開口がマンホール蓋によって塞がれる。
【００１８】
上記構成の槽本体１０１の内部構造として、特に本実施の形態の特徴部分である消毒槽１０９まわりの構成に関しては、図２及び図３が参照される。ここで、図２には、本実施の形態の水処理装置１００のうち消毒槽１０９周辺に関する断面構造が示され、図３には、図２中の消毒槽１０９を斜め上方からみた斜視図が示される。
【００１９】
図２に示すように、消毒槽１０９は、槽状に形成されており、槽本体１０１内において上部槽１１０の放流管１０４側に設置された処理水槽１０８に収容されている。また、この消毒槽１０９と放流管１０４とは、接続部材１３０を用いたうえで、上部槽１１０の側壁面を貫通する貫通開口１１０ｂを通じて接続される。この接続部材１３０は、典型的にはネジ付きソケットとして構成される。なお、放流管１０４と接続部材１３０とが一体状の部材として構成されてもよい。この接続部材１３０が、本発明における「接続部材」に相当し、上部槽１１０の側壁面を貫通する貫通開口１１０ｂが、本発明における「貫通開口」に相当する。これによって、消毒槽１０９の槽壁面の下流側に設けられた流出開口１０９ｂが放流管１０４と連通することとなる。この流出開口１０９ｂのまわりには、上部槽１１０の内壁面との間で水シールを行う円環状の止水パッキン１１４が被着されている。また、この消毒槽１０９は、通常運転時に処理水槽１０８の水貯留領域に浸漬された状態で被処理水の消毒処理を行う構成とされる。すなわち、この消毒槽１０９には、通常運転時においては上向きの浮力を受けることとなる。特に本実施の形態では、通常運転時において、消毒槽１０９内における水位が処理水槽１０８の水位よりも低くなるような水位差が形成される構成とされており、これによって消毒槽１０９に対し上向きの浮力が作用する。
【００２０】
図３に示すように、消毒槽１０９は、当該消毒槽１０９の上縁部分に形成される上縁部１０９ａを備える。この上縁部１０９ａは、消毒槽１０９の上縁面と、当該上縁面から外方へと突出するフランジ面の両部位を有し、水平面に沿って長手状に延在する両部位同士が段差形状を経て互いに連接した構成とされる。この上縁部１０９における上縁面及びフランジ面は、いずれも水平面に沿って長手状に延在する構成であり、この上縁部１０９が本発明における「消毒槽側延在部」を構成する。なお、この上縁部１０９の形状に関しては、上縁面及びフランジ面が面一に形成された構成や、上縁面及びフランジ面が曲面形状を経て互いに連接した構成を採用することもできる。一方、この消毒槽１０９を収容する処理水槽１０８は、左右に立設する立設壁１０８ａ，１０８ａを有し、これら立設壁１０８ａ，１０８ａの上端に上縁部１０９ａのフランジ面を介して消毒槽１０９が架設されるようになっている。すなわち、消毒槽１０９の左右方向（図３中の矢印方向）に関し、上縁部１０９ａのフランジ面の幅が、処理水槽１０８の左右の立設壁１０８ａ，１０８ａの間隔よりも広くなるように構成されている。この立設壁１０８ａの上端は、上縁部１０９ａのフランジ面の下方にて当該フランジ面に沿って長手状に延在する部位であり、当該部位が本発明における「第１の槽本体側延在部」を構成する。また、処理水槽１０８の各部位のうち消毒槽１０９の流出開口１０９ｂに相当する部位には、接続部材１３０による消毒槽１０９と放流管１０４との接続を可能とする切り欠き部１０８ｃが形成されている。
【００２１】
また、処理水槽１０８は、各立設壁１０８ａの上方において、当該立設壁１０８ａの上端に沿って延在する延在片１０８ｂを備える。この延在片１０８ｂの下面は、上縁部１０９ａの上縁面の上方にて当該上縁面に沿って長手状に延在する部位であり、当該部位が本発明における「第２の槽本体側延在部」を構成する。
【００２２】
消毒槽１０９のこの所定位置は、接続部材１３０による消毒槽１０９と放流管１０４との接続の前に、消毒槽１０９を処理水槽１０８に対しセットする所定の取付位置（「接続準備位置」ともいう）として規定される。この所定の取付位置では、消毒槽１０９全体の自重による下降動作に関しては、当該消毒槽１０９は、その上縁部１０９ａのフランジ面の下面と立設壁１０８ａの上端との面接触により係止される一方、消毒槽１０９が処理水槽１０８の水貯留領域に浸漬されたときの浮力による上昇動作に関しては、当該消毒槽１０９は、その上縁部１０９ａの上縁面の上面と延在片１０８ｂの下面との面接触により係止される係止取付状態（「接続準備状態」ともいう）となる。これにより、消毒槽１０９の上下方向への移動が規制され、消毒槽１０９の落下防止及び浮上防止が図られる。
【００２３】
上記構成の消毒槽１０９を所定の取付位置に設定する過程に関しては、図４〜図６が参照される。ここで、図４には、本実施の形態の消毒槽１０９を所定の取付位置に設定する様子が断面図にて示される。図５及び図６には、本実施の形態の消毒槽１０９を所定の取付位置に設定する様子が斜視図にて示される。
【００２４】
本実施の形態において、消毒槽１０９を所定の取付位置に設定する操作に関しては、当該消毒槽１０９の架設操作及びスライド操作に大別される。
【００２５】
図４及び図５に示すように、消毒槽１０９の架設操作においては、当該消毒槽１０９を上方から処理水槽１０８内へと移動させ、上縁部１０９ａのフランジ面を立設壁１０８ａ，１０８ａの上端に載置する。これにより、消毒槽１０９は、上縁部１０９ａが立設壁１０８ａ，１０８ａによって支持された架設状態とされる。
【００２６】
また、図６に示すように、消毒槽１０９のスライド操作においては、架設操作がなされた消毒槽１０９を、架設状態のまま処理水槽１０８の切り欠き部１０８ｃに向けて所定の取付位置へとスライドさせる。これにより、消毒槽１０９は、所定の取付位置に設定され、接続部材１３０による消毒槽１０９と放流管１０４との接続に備える。なお、本実施の形態では、下部槽１２０の上部に上部槽１１０が設置された後に、上部槽１１０の貫通開口１１０ｂから槽本体１０１内へと挿入された作業者の手によって架設状態のまま所定の取付位置へとスライド操作することが可能となっている。
【００２７】
なお、この消毒槽１０９の架設操作は、下部槽１２０内に種々の内装部材（処理水槽１０８、仕切り板など）を設置した後であって、且つ下部槽１２０の上部に上部槽１１０が配設される前に行われ、またこの消毒槽１０９のスライド操作は、下部槽１２０の上部に上部槽１１０が配設された後（或いはフランジ接合後）に行われるのが好ましい。これにより、上部槽１１０を下部槽１２０の上方から取り付ける際に、消毒槽１０９の止水パッキン１１４が上部槽１１０に干渉して剥がれるのを防止することが可能となる。この場合には、架設操作がなされた消毒槽１０９を、下部槽１２０に対し取り付け状態とされた上部槽１１０の外部から貫通開口１１０ｂを通して作業者が手前に引き寄せることによってスライド操作が可能とされる。そして、スライド操作がなされた消毒槽１０９と放流管１０４とが接続部材１３０を介して接続される。
【００２８】
以上のように、本実施の形態によれば、接続部材１３０による消毒槽１０９と放流管１０４との接続の前に、リベットやネジ等の固定具を用いることなく、処理水槽１０８の立設壁１０８ａ及び延在片１０８ｂによる係止取付構造のみによって消毒槽１０９を処理水槽１０８に取付けることができるため、消毒槽１０９の取付作業の合理化が図られる。具体的には、部品点数削減により製造上のコストを抑えることができ、また取り付け工数を抑えることができる。また、リベットやネジ等の固定具を用いる必要がないため、消毒槽１０９の取付作業性が向上するという作用効果を奏する。消毒槽１０９の周辺には種々の配管部材が密集して配置されるのが一般的であるため、このような場合に本構成が特に効果的とされる。なお、この作用効果は、消毒槽１０９の修理の際の取り外しや、修理後の再装着を行う場合においても同様に得られることとなる。
【００２９】
また、本実施の形態によれば、消毒槽１０９が一旦架設状態とされた後は、上縁部１０９ａのフランジ面を立設壁１０８ａ，１０８ａ上において摺動させることで消毒槽１０９を所定の取付位置に設定することが可能であるため、消毒槽１０９のスライド操作時に当該消毒槽１０９を別の手段によって保持する必要がなく、従って消毒槽１０９の取付作業に関する作業性を向上させるのに効果的である。
【００３０】
また、本実施の形態によれば、上部槽１１０のスライド操作、及び接続部材１３０による消毒槽１０９と放流管１０４との接続操作は、いずれも上部槽の側方の貫通開口周辺にて行うことが可能であるため、高所作業等が必要なく作業性が良い。
【００３１】
〔他の実施の形態〕
なお、本発明は上記の実施の形態のみに限定されるものではなく、種々の応用や変形が考えられる。例えば、上記実施の形態を応用した次の各形態を実施することもできる。
【００３２】
本発明では、スライド操作を用いた消毒槽の係止取付構造に関しては上記実施の形態に限定されるものではなく、必要に応じて種々の構成を採用することができる。別の形態に関しては、図７〜図１０が参照される。なお、これらの図において、上記実施の形態の水処理装置１００の各構成要素と同一の構成要素には、同一の符号を付している。
【００３３】
第２実施の形態の消毒槽２０９の係止取付構造が図７に示される。図７に示す形態の消毒槽２０９は、本発明における「消毒槽」として構成され、上記実施の形態の消毒槽１０９の上縁部１０９ａに相当する上縁部２０９ａを有する。この上縁部２０９が本発明における「消毒槽側延在部」及び「突出片」を構成する。一方、処理水槽１０８の各立設壁１０８ａには、架設操作がなされた消毒槽２０９を、処理水槽１０８の切り欠き部１０８ｃに向けて所定の取付位置へとスライド操作した場合に、消毒槽２０９の上縁部２０９ａのフランジ面が挿入されるスリット１１６が形成されている。このスリット１１６は、立設壁１０８ａの上端と延在片１０８ｄとの間に形成される空間部分として構成され、上下方向に関するスリット高さは上縁部２０９ａのフランジ部分の板厚と同様か或いは若干大きい構成とされる。このスリット１１６が、本発明における「被挿入空間」に相当する。また、スリット１１６を挟んで立設壁１０８ａの上端の上方に延在片１０８ｄが形成されている。この延在片１０８ｄの下面は、上縁部２０９ａのフランジ面の上方にて当該フランジ面に沿って長手状に延在する部位であり、当該部位が本発明における「第２の槽本体側延在部」及び「延在面」を構成する。一方、立設壁１０８ａの上端は、上縁部２０９ａのフランジ面の下方にて当該フランジ面に沿って長手状に延在する部位であり、当該部位が本発明における「第１の槽本体側延在部」及び「架設面」を構成する。
【００３４】
本構成において、上記消毒槽１０９の場合と同様に、消毒槽２０９の架設操作及びスライド操作がなされた後の所定の取付位置では、消毒槽２０９全体の自重による下降動作に関しては、当該消毒槽２０９は、その上縁部２０９ａのフランジ面の下面と立設壁１０８ａの上端との面接触により係止される一方、消毒槽２０９が処理水槽１０８の水貯留領域に浸漬されたときの浮力による上昇動作に関しては、当該消毒槽２０９は、その上縁部２０９ａのフランジ面の上面と延在片１０８ｂの下面との面接触により係止される。これにより、消毒槽２０９の上下方向への移動が規制され、消毒槽２０９の落下防止及び浮上防止が図られる。
【００３５】
第３実施の形態の消毒槽３０９の係止取付構造が図８及び図９に示される。ここで、図８には、本実施の形態の消毒槽３０９周辺に関する断面構造が示され、図９には、図８中の消毒槽３０９を斜め上方からみた斜視図が示される。図８及び図９に示す形態の消毒槽３０９は、本発明における「消毒槽」として構成され、上記実施の形態の消毒槽１０９における上縁部１０９ａにかえて凸部３０９ａ，３０９ａを備える。凸部３０９ａ，３０９ａは消毒槽３０９の左右の側壁から外方へと突出する構成とされる。この凸部３０９ａ，３０９ａは、水平面に沿って長手状に延在する構成であり、この凸部３０９ａ，３０９ａが、本発明における「消毒槽側延在部」に相当する。一方、処理水槽１０８の各立設壁１０８ａには、消毒槽３０９の凸部３０９ａがスライド操作によって嵌まり込む（挿入される）凹部１０８ｇが設けられている。この凹部１０８ｇが本発明における「被挿入空間」に相当する。
【００３６】
この凹部１０８ｇは、消毒槽３０９のスライド方向に沿って長手状に延在する空間部分として構成され、各立設壁１０８ａにて上下二段に並行状に延在する下側延在部１０８ｅ及び上側延在部１０８ｆによって形成されている。ここでいう下側延在部１０８ｅは、凸部３０９ａ，３０９ａの下方にて凸部３０９ａ，３０９ａに沿って長手状に延在する部位であり、当該部位が本発明における「第１の槽本体側延在部」に相当する。一方、ここでいう上側延在部１０８ｆは、凸部３０９ａ，３０９ａの上方にて凸部３０９ａ，３０９ａに沿って長手状に延在する部位であり、当該部位が本発明における「第２の槽本体側延在部」に相当する。
【００３７】
また、本実施の形態では、この凹部１０８ｇの上下方向に関する凹み高さ、すなわち下側延在部１０８ｅと上側延在部１０８ｆとの距離は、凸部３０９ａの板厚と同様か或いは若干大きい構成とされる。また、本実施の形態では、上部槽１１０の長手方向に関する凸部３０９ａ及び凹部１０８ｇの長さが概ね合致するように構成されている。本構成において、消毒槽３０９の凸部３０９ａがスライド操作によって凹部１０８ｇによって嵌め込まれる（挿入される）ことで、消毒槽３０９が所定の取付位置に設定される。
【００３８】
なお、消毒槽３０９を所定の取付位置に設定するこのスライド操作に関しては、図１０が参照される。図１０には、第３実施の形態の消毒槽３０９を所定の取付位置に設定する様子が断面図にて示される。図１０に示すように、消毒槽３０９のスライド操作においては、消毒槽３０９の凸部３０９ａを図中左側から凹部１０８ｇに嵌め込んだのち、処理水槽１０８の切り欠き部１０８ｃに向けて所定の取付位置へと図中右側へスライドさせる。これにより、消毒槽３０９は、図８に示すような所定の取付位置に設定される。
【００３９】
本構成において、所定の取付位置では、消毒槽３０９全体の自重による下降動作に関しては、当該消毒槽３０９は、その凸部３０９ａの下面と下側延在部１０８ｅの上面との面接触により係止される一方、消毒槽３０９が処理水槽１０８の水貯留領域に浸漬されたときの浮力による上昇動作に関しては、当該消毒槽３０９は、その凸部３０９ａの上面と上側延在部１０８ｆの下面との面接触により係止される。これにより、消毒槽３０９の上下方向への移動が規制され、消毒槽３０９の落下防止及び浮上防止が図られる。
【００４０】
また、上記各実施の形態では、消毒槽の上下方向の移動を規制する規制手段を下部槽１２０に対し装着される処理水槽１０８に設ける場合について記載したが、本発明では、当該規制手段を上部槽側のみに装着し、或いは当該規制手段を上部槽側に装着した部材と下部槽側に装着した部材との組み合わせによって構成し、これによって下部槽１２０に対し上部槽１１０が被着されたときに規制作用が発生する構造等を適宜採用することもできる。
【図面の簡単な説明】
【００４１】
【図１】本発明における「水処理装置」の一実施の形態である水処理装置１００の処理フローを示す図である。
【図２】本実施の形態の水処理装置１００のうち消毒槽１０９周辺に関する断面構造を示す図である。
【図３】図２中の消毒槽１０９を斜め上方からみた斜視図である。
【図４】本実施の形態の消毒槽１０９を所定の取付位置に設定する様子を示す断面図である。
【図５】本実施の形態の消毒槽１０９を所定の取付位置に設定する様子を示す斜視図である。
【図６】本実施の形態の消毒槽１０９を所定の取付位置に設定する様子を示す斜視図である。
【図７】第２実施の形態の消毒槽２０９の係止取付構造を示す図である。
【図８】第３実施の形態の消毒槽３０９の係止取付構造を示す図である。
【図９】第３実施の形態の消毒槽３０９の係止取付構造を示す図である。
【図１０】第３実施の形態の消毒槽３０９を所定の取付位置に設定する様子を示す断面図である。
【符号の説明】
【００４２】
１００…水処理装置
１０１…槽本体
１０２…浄化処理機構
１０３…流入管
１０４…放流管
１０５…夾雑物除去槽
１０６…嫌気濾床槽
１０７…接触濾床槽
１０８…処理水槽
１０８ａ…立設壁
１０８ｂ…延在片
１０８ｃ…切り欠き部
１０８ｄ…延在片
１０８ｅ…下側延在部
１０８ｆ…上側延在部
１０８ｇ…凹部（被挿入空間）
１０９，２０９，３０９…消毒槽
１０９ａ，２０９ａ…上縁部
１０９ｂ…流出開口
１１０…上部槽
１１０ａ，１２０ａ…接合フランジ
１１１，１１２，１１３…突出部
１１４…止水パッキン
１１６…スリット（被挿入空間）
１２０…下部槽
３０９ａ…凸部
【図１】
2008043896.tif 000003
【図２】
2008043896.tif 000004
【図３】
2008043896.tif 000005
【図４】
2008043896.tif 000006
【図５】
2008043896.tif 000007
【図６】
2008043896.tif 000008
【図７】
2008043896.tif 000009
【図８】
2008043896.tif 000010
【図９】
2008043896.tif 000011
【図１０】
2008043896.tif 000012